(57)【要約】【課題】電球をソケットに良好に挿入することが可能なソケット構造を提供する。【解決手段】筒状のソケット本体１１と、ソケット本体１１に保持される正極端子１２及び負極端子１３とからソケット１０が構成され、ソケット本体１１が、電球が挿入される筒状の内周壁２１を備え、負極端子１３が、内周壁２１の軸線２１Ｊに沿うように内周壁２１の開口２１ｃに向かって延出し、負極端子１３の延出方向の中間部が内周壁２１の半径方向内側へ向かって凸状に屈曲するアーム屈曲部６１を備えるソケット構造において、内周壁２１に沿って負極端子１３が配置され、内周壁２１の開口２１ｃ側には、負極端子１３の開口側端部の半径方向内側への移動を規制する横断部２１ｅが設けられている。【選択図】図２
2015069911.tif 000002
【特許請求の範囲】
【請求項１】
筒状のソケット本体（１１）と、このソケット本体（１１）に保持される正極端子（１２）及び負極端子（１３）とからソケット（１０）が構成され、前記ソケット本体（１１）が、電球（７１）が挿入される筒状の周壁（２１）を備え、前記負極端子（１３）が、前記周壁（２１）の軸線（２１Ｊ）に沿うように前記周壁（２１）の開口（２１ｃ）に向かって延出し、前記負極端子（１３）の延出方向の中間部が前記ソケット（１０）の中心側へ向かって凸状に屈曲する屈曲部（６１）を備えるソケット構造において、
前記周壁（２１）に沿って前記負極端子（１３）が配置され、前記周壁（２１）の開口（２１ｃ）側には、前記負極端子（１３）の開口側端部の半径方向内側への移動を規制する規制部（２１ｅ）が設けられていることを特徴とするソケット構造。
【請求項２】
前記軸線（２１Ｊ）の延びる方向に沿うように前記周壁（２１）に溝部（２１ｄ）が形成され、この溝部（２１ｄ）に前記負極端子（１３）が配置されていることを特徴とする請求項１に記載のソケット構造。
【請求項３】
前記規制部（２１ｅ）は、前記溝部（２１ｄ）内に且つ前記周壁（２１）の内周面（２１ｆ）に面一に設けられていることを特徴とする請求項２に記載のソケット構造。
【請求項４】
筒状のソケット本体（８１）と、このソケット本体（８１）に保持される正極端子（１２）及び負極端子（８３）とからソケット（８０）が構成され、前記ソケット本体（８１）が、電球（７１）が挿入される筒状の周壁（８２）を備え、前記負極端子（８３）が、前記周壁（８２）の軸線（２１Ｊ）に沿うように前記周壁（８２）の開口（２１ｃ）に向かって延出し、前記負極端子（８３）の延出方向の中間部が前記ソケット（１０）の中心側へ向かって凸状に屈曲する屈曲部（６１）を備えるソケット構造において、
前記周壁（８２）に沿って前記負極端子（８３）が配置され、前記負極端子（８３）の開口側端部が、前記周壁（８２）側から周壁（８２）より半径方向外側に配置された外壁（２２）の端部（２２ｃ）を越え、屈曲して前記外壁（２２）の外面（２２ｇ）に掛けられるように略Ｌ字状に形成された開口側屈曲部（８５ｃ）を有することを特徴とするソケット構造。
【請求項５】
前記軸線（２１Ｊ）の延びる方向に沿うように前記周壁（８２）に溝部（２１ｄ）が形成され、この溝部（２１ｄ）に前記負極端子（８３）が配置されていることを特徴とする請求項４に記載のソケット構造。
【発明の詳細な説明】
【技術分野】
【０００１】
本発明は、ソケット本体に保持される端子の先端部がソケット本体の電球を挿入する開口側に位置するソケットにおいて端子の形状が改良されたソケット構造に関する。
【背景技術】
【０００２】
従来、ソケット構造として、筒状のソケット本体と、ソケット本体に保持される端子とからソケットが構成され、端子の先端部がソケット本体の電球が挿入される開口に向かって延出し、端子の長手方向中間部がソケット中心に向かって凸となる屈曲部を備えるものが知られている（例えば、特許文献１参照）。
【先行技術文献】
【特許文献】
【０００３】
【特許文献１】特開平８−８０１２号公報
【発明の概要】
【発明が解決しようとする課題】
【０００４】
特許文献１では、端子の先端部が、開口側に指向しているが、ソケット中心側にやや斜めに指向しているため、電球をソケットに挿入するときに、端子が、電球の口金の側面ではなく電球の口金の底部に当たる可能性があり、電球の挿入が困難になるおそれがある。
本発明は、上述した事情を鑑みてなされたものであり、電球をソケットに良好に挿入することが可能なソケット構造を提供することを目的としている。
【課題を解決するための手段】
【０００５】
上述した課題を解決するため、本発明は、筒状のソケット本体（１１）と、このソケット本体（１１）に保持される正極端子（１２）及び負極端子（１３）とからソケット（１０）が構成され、前記ソケット本体（１１）が、電球（７１）が挿入される筒状の周壁（２１）を備え、前記負極端子（１３）が、前記周壁（２１）の軸線（２１Ｊ）に沿うように前記周壁（２１）の開口（２１ｃ）に向かって延出し、前記負極端子（１３）の延出方向の中間部が前記ソケット（１０）の中心側へ向かって凸状に屈曲する屈曲部（６１）を備えるソケット構造において、前記周壁（２１）に沿って前記負極端子（１３）が配置され、前記周壁（２１）の開口（２１ｃ）側には、前記負極端子（１３）の開口側端部の半径方向内側への移動を規制する規制部（２１ｅ）が設けられていることを特徴とする。
【０００６】
上記構成において、前記軸線（２１Ｊ）の延びる方向に沿うように前記周壁（２１）に溝部（２１ｄ）が形成され、この溝部（２１ｄ）に前記負極端子（１３）が配置されていても良い。
また、上記構成において、前記規制部（２１ｅ）は、前記溝部（２１ｄ）内に且つ前記周壁（２１）の内周面（２１ｆ）に面一に設けられていても良い。
【０００７】
また、本発明は、筒状のソケット本体（８１）と、このソケット本体（８１）に保持される正極端子（１２）及び負極端子（８３）とからソケット（８０）が構成され、前記ソケット本体（８１）が、電球（７１）が挿入される筒状の周壁（８２）を備え、前記負極端子（８３）が、前記周壁（８２）の軸線（２１Ｊ）に沿うように前記周壁（８２）の開口（２１ｃ）に向かって延出し、前記負極端子（８３）の延出方向の中間部が前記ソケット（１０）の中心側へ向かって凸状に屈曲する屈曲部（６１）を備えるソケット構造において、前記周壁（８２）に沿って前記負極端子（８３）が配置され、前記負極端子（８３）の開口側端部が、前記周壁（８２）側から周壁（８２）より半径方向外側に配置された外壁（２２）の端部（２２ｃ）を越え、屈曲して前記外壁（２２）の外面（２２ｇ）に掛けられるように略Ｌ字状に形成された開口側屈曲部（８５ｃ）を有することを特徴とする。
上記構成において、前記軸線（２１Ｊ）の延びる方向に沿うように前記周壁（８２）に溝部（２１ｄ）が形成され、この溝部（２１ｄ）に前記負極端子（８３）が配置されていても良い。
【発明の効果】
【０００８】
本発明は、周壁に沿って負極端子が配置され、周壁の開口側には、負極端子の開口側端部の半径方向内側への移動を規制する規制部が設けられているので、負極端子の開口側端部の半径方向内側への移動を規制部で規制するため、電球をソケットに挿入する際の電球の底部が負極端子の開口側端部に当たることがない。従って、電球をソケットに良好に挿入することができる。
【０００９】
また、軸線の延びる方向に沿うように周壁に溝部が形成され、この溝部に負極端子が配置されているので、溝部で負極端子を位置決めすることができ、電球をソケットに挿入する際に負極端子が受ける外力等による位置ずれを防止することができる。
また、規制部は、溝部内に且つ周壁の内周面に面一に設けられているので、電球をソケットに挿入する際に規制部が邪魔にならず、電球をスムーズに挿入することができる。
【００１０】
また、周壁に沿って負極端子が配置され、負極端子の開口側端部が、周壁側から周壁より半径方向外側に配置された外壁の端部を越え、屈曲して外壁の外面に掛けられるように略Ｌ字状に形成された開口側屈曲部を有するので、負極端子の開口側屈曲部が外壁に掛けられることで負極端子の先端部が半径方向内側への移動を規制することができ、電球をソケットに挿入する際の電球の底部が負極端子の先端部に当たることがない。従って、電球をソケットに良好に挿入することができる。
また、軸線の延びる方向に沿うように周壁に溝部が形成され、この溝部に負極端子が配置されているので、溝部で負極端子を位置決めすることができ、電球をソケットに挿入する際に負極端子が受ける外力等による位置ずれを防止することができる。
【図面の簡単な説明】
【００１１】
【図１】本発明の第１実施形態のソケットを示す斜視図である。
【図２】ソケット（第１実施形態）を示す断面図である。
【図３】正極端子を示す背面図（第１実施形態）である。
【図４】ソケット（第１実施形態）を示す平面図である。
【図５】ソケット（第１実施形態）の底面図である。
【図６】ソケット（第１実施形態）の作用を示す第１作用図である。
【図７】ソケット（第１実施形態）の作用を示す第２作用図である。
【図８】第２実施形態のソケットを示す断面図である。
【発明を実施するための形態】
【００１２】
以下、図面を参照して本発明の一実施形態について説明する。
＜第１実施形態＞
図１は、本発明の第１実施形態のソケット１０を示す斜視図であり、一部にソケット１０の断面も示している。
ソケット１０は、電球を支持するとともに電球に電力を供給する部品であり、筒状で樹脂製のソケット本体１１と、ソケット本体１１に保持された金属製の正極端子１２及び負極端子１３とを備える。
ソケット本体１１は、円筒形の内周壁２１と、内周壁２１より半径方向外側に配置された外壁２２と、正極端子１２を内周壁２１と共に囲むように形成された正極端子包囲壁２６と、負極端子１３を外壁２２と共に囲むように形成された負極端子包囲壁２７とを備える。
内周壁２１の一部には、負極端子１３が挿入される溝部２１ｄが形成され、この溝部２１ｄの底が外壁２２により形成される。
【００１３】
図２は、ソケット本体１１を示す断面図である。
図中の符号２１Ｊは内周壁２１の内周面２１ｆの軸線を示している。
内周面２１ｆの溝部２１ｄは、軸線２１Ｊに沿って形成されている。内周壁２１の開口２１ｃ近くの溝部２１ｄには、負極端子１３の移動を規制するために、溝部２１ｄを横切るように横断部２１ｅが形成されている。横断部２１ｅは、内周壁２１と一体に形成され、横断部２１ｅの内周面は、内周壁２１の内周面２１ｆと面一に形成されている。
溝部２１ｄの底面は、外壁２２の内面２２ｆで形成されている。
正極端子包囲壁２６は、内周壁２１に一体に接続された一対の側壁２６ａ，２６ａ（一方の側壁２６ａのみ図示）と、側壁２６ａ，２６ａの外端同士を一体に接続する最外壁２６ｃとからなる。負極端子包囲壁２７は、外壁２２に一体に接続された一対の側壁２７ａ，２７ａ（一方の側壁２７ａのみ図示）と、側壁２７ａ，２７ａの外端同士を一体に接続する最外壁２７ｃとからなる。なお、符号２１ｇは内周壁２１の外周面、２２ｇは外壁２２の外面、２６ｇは最外壁２６ｃの内面、２７ｇは最外壁２７ｃの内面である。
【００１４】
正極端子１２は、Ｕ字状に形成されたＵ字形状部４１と、Ｕ字の一端から屈曲形成されたアーム部４２と、アーム部の先端に形成された端子側接点４３とから構成されている。
Ｕ字形状部４１は、導線が圧着される圧着部４５が形成された第１延出部４６と、切り起こし部４７が形成された第２延出部４８と、第１延出部４６及び第２延出部４８のそれぞれを接続する屈曲部４９とからなる。
圧着部４５は、導線の芯線を圧着する芯線圧着部４５ａと、導線の絶縁被覆を圧着する被覆圧着部４５ｂとから構成される。切り起こし部４７は、第２延出部４８の一部に切り込みが入れられて曲げ加工が施された部分であり、内周壁２１から半径方向外側に突出した突出壁２１ｂにより形成された段部２１ａに係止されている。なお、符号２１ｈは突出壁２１ｂの外面である。
端子側接点４３は、電球の口金の底部に設けられた接点に接触する部分である。
【００１５】
負極端子１３は、Ｕ字状に形成されたＵ字形状部５１と、Ｕ字の一端からほぼ直角に屈曲形成された第１アーム部５３と、第１アーム部５３の端部からほぼ直角に屈曲形成された第２アーム部５４とから構成されている。
Ｕ字形状部５１は、導線が圧着される圧着部５５が形成された第１延出部５６と、切り起こし部５７が形成された第２延出部５８と、第１延出部５６及び第２延出部５８のそれぞれを接続する屈曲部５９とからなる。
圧着部５５は、導線の芯線を圧着する芯線圧着部５５ａと、導線の絶縁被覆を圧着する被覆圧着部５５ｂとから構成される。切り起こし部５７は、第２延出部５８の一部に切り込みが入れられて曲げ加工が施された部分であり、外壁２２から半径方向外側に突出した突出壁２２ｂにより形成された段部２２ａに係止されている。なお、符号２２ｈは突出壁２２ｂの外面である。
第２アーム部５４は、第１アーム部５３の端部から屈曲形成された基部アーム５４ａと、基部アーム５４ａの端部にアーム屈曲部６１を介して接続された端部側アーム５４ｂとからなる。アーム屈曲部６１は、Ｕ字形状部５１から離れる方向に突出するように屈曲し、電球の口金の側面に接触する部分である。
【００１６】
以上に述べた正極端子１２及び負極端子１３のソケット本体１１への配置構造を次に説明する。
正極端子１２は、Ｕ字形状部４１の大部分が、内周壁２１と正極端子包囲壁２６との間の空間６５に配置され、正極端子保持部２３で保持されている。正極端子保持部２３は、切り起こし部４７を備え、切り起こし部４７が段部２１ａに係止されることで、正極端子１２の軸線２１Ｊに沿った方向への移動（図の下方への移動）を規制することができる。
電球をソケット本体１１の内周壁２１の上部に設けられた開口２１ｃから内周壁２１内に挿入したときには、電球の下端の接点が正極端子１２の端子側接点４３を押し下げるため、そのときの押し下げ力を切り起こし部４７で支持することができる。
正極端子１２をソケット本体１１に組付けるには、正極端子１２を、屈曲部４９側から内周壁２１及び正極端子包囲壁２６で囲まれる空間６５の下部の開口６５ａに挿入する。このとき、Ｕ字形状部４１をＵ字の幅が狭くなるように弾性変形させ、また、切り起こし部４７も傾きが小さくなるように弾性変形させる。切り起こし部４７が突出壁２１ｂを越えれば、Ｕ字形状部４１及び切り起こし部４７の弾性変形が元に戻る。この結果、正極端子１２は、空間６５から下方に抜けなくなる。
【００１７】
負極端子１３は、Ｕ字形状部５１の大部分が、外壁２２と負極端子包囲壁２７との間の空間６６に配置され、負極端子保持部２４で保持されている。負極端子保持部２４は、切り起こし部５７を備え、切り起こし部５７が段部２２ａに係止されることで、負極端子１３の軸線２１Ｊに沿った方向への移動（図の下方への移動）を規制することができる。
負極端子１３をソケット本体１１に組付けるには、負極端子１３を、屈曲部５９側から外壁２２及び負極端子包囲壁２７で囲まれる空間６６の下部の開口６６ａに挿入する。このとき、Ｕ字形状部５１をＵ字の幅が狭くなるように弾性変形させ、また、切り起こし部５７も傾きが小さくなるように弾性変形させる。また、第２アーム部５４を溝部２１ｄに挿入する。
【００１８】
切り起こし部５７が突出壁２２ｂを越えれば、Ｕ字形状部５１及び切り起こし部５７の弾性変形が元に戻り、負極端子１３は、空間６６から下方に抜けなくなる。このとき、第２アーム部５４の先端部は、横断部２１ｅよりソケット本体１１の外側に配置され、負極端子１３のアーム屈曲部６１は、内周壁２１の内周面２１ｆよりソケット本体１１の内側に配置される。
電球を開口２１ｃから内周壁２１内に挿入したときには、電球の口金の側面が負極端子１３のアーム屈曲部６１と摺動して第２アーム部５４を押し下げるため、そのときの押し下げ力を切り起こし部５７で支持することができる。
ソケット本体１１の横断部２１ｅは、電球が開口２１ｃから挿入されたときに、負極端子１３の第２アーム部５４の先端部が、電球の口金の底部に当たらないようにソケット本体１１の内側（半径方向内側）へ移動するのを規制する部分である。
【００１９】
図３は、正極端子１２を示す背面図であり、図２のＩＩＩ矢視図に相当する。
正極端子１２は、Ｕ字形状部４１の大部分の幅がＷ１であり、Ｕ字形状部４１の一部（第２延出部４８の一部）の幅が、幅Ｗ１より広いＷ２となっている。
芯線圧着部４５ａは、その幅方向の縁部から幅方向の中央に延びる一対の芯線バレル片４５ｃ，４５ｃを備える。被覆圧着部４５ｂは、その幅方向の縁部から幅方向の中央に延びる一対の被覆バレル片４５ｄ，４５ｄを備える。
Ｕ字形状部４１の第２延出部４８において両側方に延びて幅Ｗ１から幅Ｗ２までの部分を形成する幅広部４８ａ，４８ａは、幅方向外側に突出する側方突出部４８ｂ，４８ｂを一体に備える。側方突出部４８ｂ，４８ｂの両外縁の幅は、幅Ｗ２よりも広いＷ３となっている。
図２及び図３において、負極端子１３についても、正極端子１２と同様に、Ｕ字形状部５１の大部分の幅がＷ１であり、Ｕ字形状部５１の一部（第２延出部５８の一部）の幅がＷ２である。第２延出部５８における幅Ｗ２の幅広部５８ａ，５８ａ（図４参照）は、幅方向外側に突出する側方突出部５８ｂ，５８ｂ（図４参照）を一体に備える。側方突出部５８ｂ，５８ｂの両外縁の幅はＷ３となっている。
【００２０】
図４は、ソケット１０を示す平面図である。
ソケット本体１１の正極端子包囲壁２６は、その側壁２６ａ，２６ａに軸線２１Ｊ（図２参照）に沿って延びる縦溝２６ｄ，２６ｄが形成されている。縦溝２６ｄは、正極端子１２の第２延出部４８の幅広部４８ａ，４８ａが挿入される部分である。
ソケット本体１１の負極端子包囲壁２７も同様に、その側壁２７ａ，２７ａに軸線２１Ｊに沿って延びる縦溝２７ｄ，２７ｄが形成されている。縦溝２７ｄは、負極端子１３の第２延出部５８の幅広部５８ａ，５８ａが挿入される部分である。
このように、縦溝２６ｄ，２６ｄに正極端子１２の幅広部４８ａ，４８ａを挿入し、縦溝２７ｄ，２７ｄに幅広部５８ａ，５８ａを挿入することで、正極端子１２、負極端子１３の空間６５，６６内における半径方向（ソケット本体１１の半径方向）の移動を規制することができる。
縦溝２６ｄ，２６ｄは、正極端子１２を半径方向に保持する正極端子保持部２３（図２参照）の一部を構成し、縦溝２７ｄ，２７ｄは、負極端子１３を半径方向に保持する負極端子保持部２４（図２参照）の一部を構成する。
図中の符号２６ｅは縦溝２６ｄの底面、２６ｆは側壁２６ａの側面、２７ｅは縦溝２７ｄの底面、２７ｆは側壁２７ａの側面である。
【００２１】
図５は、ソケット１０の底面図である。
正極端子１２の側方突出部４８ｂ，４８ｂは、ソケット本体１１の正極端子包囲壁２６における側壁２６ａ，２６ａの下面２６ｈ，２６ｈに近接配置される。また、負極端子１３の側方突出部５８ｂ，５８ｂは、ソケット本体１１の負極端子包囲壁２７における側壁２７ａ，２７ａの下面２７ｈ，２７ｈに近接配置される。従って、正極端子１２、負極端子１３をソケット本体１１に組付ける際、図の表裏方向で裏側に向けて空間６５，６６に挿入するときに、側方突出部４８ｂ，４８ｂ、側方突出部５８ｂ，５８ｂがそれぞれ下面２６ｈ，２６ｈ、下面２７ｈ，２７ｈに当たる。これにより、正極端子１２及び負極端子１３の上方への移動が規制される。即ち、正極端子１２及び負極端子１３は、切り起こし部４７，５７（図２参照）が係止される段部２１ａ，２２ａ（図２参照）と、側方突出部４８ｂ，４８ｂ，５８ｂ，５８ｂに近接配置される下面２６ｈ，２６ｈ，２７ｈ，２７ｈとの両方で軸線２１Ｊ方向の移動が規制される。この結果、正極端子１２及び負極端子１３は、軸線２１Ｊ（図２参照）方向の所定位置に組み付けられる。
このように、下面２６ｈ，２６ｈは、切り起こし部４７と共に、正極端子１２を軸線２１Ｊの延びる方向に保持する正極端子保持部２３（図２参照）を構成し、下面２７ｈ，２７ｈは、切り起こし部５７と共に、負極端子１３を軸線２１Ｊの延びる方向に保持する負極端子保持部２４（図２参照）を構成する。
【００２２】
以上に述べたソケット１０の作用を次に説明する。
図６は、ソケット１０の作用を示す第１作用図、図７は、ソケット１０の作用を示す第２作用図である。
図６に示すように、開口２１ｃから内周壁２１内に電球７１を挿入し始めると、電球７１の口金７２における側面７２ａの下縁７２ｂが、内周壁２１の内周面２１ｆよりも半径方向内側に突出する負極端子１３のアーム屈曲部６１の近傍に当たる。負極端子１３の第２アーム部５４の先端部５４ｃは、横断部２１ｅの半径方向外側に位置し、横断部２１ｅによって内周壁２１の内周面２１ｆよりも半径方向内側への移動が規制される。従って、電球７１のソケット本体１１への挿入時に電球７１の口金７２の底部７２ｃに当たることがない。
図７は、図６の状態から、電球７１を更に内周壁２１内の奥に挿入し、ソケット本体１１の所定位置に固定した状態を示している。電球７１の口金７２の底部７２ｃに設けられた接点７３が正極端子１２の端子側接点４３に接触し、電球７１の口金７２の側面７２ａが負極端子１３のアーム屈曲部６１に接触している。
【００２３】
以上の図１、図２及び図６に示したように、筒状のソケット本体１１と、このソケット本体１１に保持される正極端子１２及び負極端子１３とからソケット１０が構成され、ソケット本体１１が、電球７１が挿入される筒状の周壁としての内周壁２１を備え、負極端子１３が、内周壁２１の軸線２１Ｊに沿うように内周壁２１の開口２１ｃに向かって延出し、負極端子１３の延出方向の中間部が内周壁２１の半径方向内側へ向かって凸状に屈曲する屈曲部としてのアーム屈曲部６１を備えるソケット構造において、内周壁２１に、軸線２１Ｊの延びる方向に沿う溝部２１ｄが形成され、この溝部２１ｄに負極端子１３が配置され、溝部２１ｄの開口２１ｃ側には、負極端子１３の開口側端部の半径方向内側への移動を規制する規制部としての横断部２１ｅが設けられている。
この構成によれば、負極端子１３の開口側端部の半径方向内側への移動を横断部２１ｅで規制するため、電球７１をソケット１０に挿入する際の電球７１の底部７２ｃが負極端子１３の開口側端部に当たることがない。従って、電球７１をソケット１０に良好に挿入することができる。
また、軸線２１Ｊの延びる方向に沿うように内周壁２１に溝部２１ｄが形成され、この溝部２１ｄに負極端子１３が配置されているので、溝部２１ｄで負極端子１３を位置決めすることができ、電球７１をソケット１０に挿入する際に負極端子１３が受ける外力等による位置ずれを防止することができる。
また、横断部２１ｅは、溝部２１ｄ内に且つ内周壁２１の内周面２１ｆに面一に設けられているので、電球７１をソケット１０に挿入する際に横断部２１ｅが邪魔にならず、電球７１をスムーズに挿入することができる。
【００２４】
＜第２実施形態＞
図８は、第２実施形態のソケット８０を示す断面図である。図２に示した第１実施形態と同一構成については同一符号を付け、詳細説明は省略する。
ソケット８０は、そのソケット本体８１の内周壁８２に、図２に示した第１実施形態の横断部２１ｅを備えておらず、また、第１実施形態の負極端子１３（図２参照）に対して負極端子８３が異なる。
負極端子８３は、負極端子１３の第２アーム部５４（図２参照）に対して第２アーム部８５のみ異なる。
第２アーム部８５は、基部アーム５４ａと、基部アーム５４ａの端部にアーム屈曲部６１を介して接続される端部側アーム８５ｂと、端部側アーム８５ｂの端部から半径方向外側に延びる断面Ｌ字状の鉤部８５ｃとからなる。
【００２５】
鉤部８５ｃは、端部側アーム８５ｂの端部に一体に接続された鉤部基部８５ｄと、鉤部基部８５ｄの端部からほぼ直角に屈曲した鉤部先端部８５ｅとからなる。鉤部８５ｃは、外壁２２の一端部２２ｃに掛けられている。詳しくは、鉤部先端部８５ｅが、外壁２２の外面２２ｇに掛けられている。
このように、負極端子８３に鉤部８５ｃを形成し、鉤部８５ｃを外壁２２の一端部２２ｃに掛けることで、負極端子の第２アーム部８５の半径方向内側への移動が規制される。従って、第２アーム部８５の先端部が、電球挿入時に電球の口金の底部に当たるのを防止することができる。
【００２６】
負極端子８３をソケット本体８１に組付けるには、負極端子８３を、屈曲部５９側から外壁２２及び負極端子包囲壁２７で囲まれる空間６６の下部の開口６６ａに挿入する。このとき、Ｕ字形状部５１をＵ字の幅が狭くなるように弾性変形させ、また、切り起こし部５７も傾きが小さくなるように弾性変形させる。
また、第２アーム部８５を溝部２１ｄに挿入する。このとき、鉤部８５ｃが外壁２２に当たらないように第２アーム部８５を溝部２１ｄの半径方向内側に弾性変形させて広げる。
【００２７】
切り起こし部５７が突出壁２２ｂを越えれば、Ｕ字形状部５１及び切り起こし部５７の弾性変形が元に戻り、負極端子１３は、空間６６から下方に抜けなくなる。また、第１アーム部５３が外壁２２の他端部２２ｄに当たれば、鉤部８５ｃが外壁２２の一端部２２ｃを越えるため、弾性変形が元に戻り、鉤部８５ｃの鉤部先端部８５ｅが外壁２２の外面２２ｇ側に移動する。その状態で、切り起こし部５７の先端部を段部２２ａに当たるまで負極端子８３を軸線２１Ｊの延びる方向へ移動させれば、鉤部８５ｃの鉤部先端部８５ｅが外面２２ｇに掛かる。
電球を開口２１ｃから内周壁８２内に挿入したときには、電球の口金の側面が負極端子８３のアーム屈曲部６１と摺動して第２アーム部８５を押し下げるため、鉤部８５ｃの鉤部先端部８５ｅが外面２２ｇに掛かけられた状態が維持される。
【００２８】
以上の図６及び図８に示したように、筒状のソケット本体８１と、このソケット本体８１に保持される正極端子１２及び負極端子８３とからソケット８０が構成され、ソケット本体８１が、電球７１が挿入される筒状の周壁としての内周壁８２を備え、負極端子８３が、内周壁８２の軸線２１Ｊに沿うように内周壁８２の開口２１ｃに向かって延出し、負極端子８３の延出方向の中間部が内周壁８２の半径方向内側へ向かって凸状に屈曲するアーム屈曲部６１を備えるソケット構造において、内周壁８２に、軸線２１Ｊの延びる方向に沿うように形成された溝部２１ｄと、この溝部２１ｄの底を形成する外壁２２とが設けられ、溝部２１ｄに負極端子８３が配置され、負極端子８３の開口側端部が、溝部２１ｄ内から外壁２２の端部２２ｃを越え、屈曲して外壁２２の外面２２ｇに掛けられるように略Ｌ字状に形成された開口側屈曲部としての鉤部８５ｃを有する。
この構成によれば、負極端子８３の鉤部８５ｃが外壁２２に掛けられることで負極端子８３の先端部が半径方向内側へ移動するのを規制することができ、電球７１をソケット８０に挿入する際の電球７１の底部７２ｃが負極端子８３の先端部に当たることがない。従って、電球７１をソケット８０に良好に挿入することができる。
また、軸線２１Ｊの延びる方向に沿うように内周壁８２に溝部２１ｄが形成され、この溝部２１ｄに負極端子８３が配置されているので、溝部２１ｄで負極端子８３を位置決めすることができ、電球７１をソケット８０に挿入する際に負極端子８３が受ける外力等による位置ずれを防止することができる。
【００２９】
上述した実施形態は、あくまでも本発明の一態様を示すものであり、本発明の主旨を逸脱しない範囲で任意に変形及び応用が可能である。
例えば、上記実施形態において、図１、図２に示したように、ソケット本体１１の溝部２１ｄを横断するように規制部としての横断部２１ｅを設けたが、これに限らず、溝部２１ｄの両側の側面のうち、少なくとも一方の側面に、他の側面に向けて突出する突出部を設け、この突出部で負極端子の半径方向内側への移動を規制しても良い。
また、溝部２１ｄの開口２１ｃ側に壁を設け、この壁に軸線２１Ｊに沿うように穴部を開け、この穴部に負極端子の先端部を挿入しても良い。これにより、負極端子の先端部が、外部に露出せず且つ半径方向内側へ移動できないので、電球の口金の底部に当たるのを防止することができる。
本発明は、車両、車両以外の移動手段、産業機械、各種工業製品、建築物のソケット構造に採用可能である。
【符号の説明】
【００３０】
１０，８０  ソケット
１１，８１  ソケット本体
１２  正極端子
１３，８３  負極端子
２１，８２  内周壁（周壁）
２１ｃ  開口
２１ｄ  溝部
２１ｅ  横断部（規制部）
２１ｆ  内周面
２１Ｊ  軸線
２２  外壁
２２ｃ  一端部（端部）
２２ｇ  外壁の外面
６１  アーム屈曲部（屈曲部）
７１  電球
８５ｃ  鉤部（開口側屈曲部）
【図１】
2015069911.tif 000003
【図２】
2015069911.tif 000004
【図３】
2015069911.tif 000005
【図４】
2015069911.tif 000006
【図５】
2015069911.tif 000007
【図６】
2015069911.tif 000008
【図７】
2015069911.tif 000009
【図８】
2015069911.tif 000010